(57)【要約】【課題】エレベータシステムの制御機能が簡単な手段で更新され得る、エレベータシステムを最新化するための方法を提案すること。【解決手段】少なくとも１つの端末（２０、２５）を有するエレベータシステム（１０）の制御を最新化するための方法において、端末（２０、２５）は、移動制御データ記憶素子（３０）に記憶されている、エレベータシステム（１０）の制御機能を最新化するための制御データパケットにより更新される。この方法では、移動制御データ記憶素子（３０）と端末（２０、２５）との間の事前定義された距離（Ｒ）の範囲内で生成される、近距離無線接続によって、制御データパケットは、制御データ記憶素子（３０）から端末（２０、２５）へ送信され、制御データパケットは、端末（２０、２５）のメモリユニット（２１、２６）内に保管される。【選択図】図１
2008069009.tif 000002
【特許請求の範囲】
【請求項１】
少なくとも１つの端末（２０、２５）を有するエレベータシステム（１０）の制御を最新化するための方法であって、端末（２０、２５）は、移動制御データ記憶素子に保管された、エレベータシステム（１０）の制御機能を最新化するための制御データパケットによって更新される、前記方法において、制御データパケットは、移動制御データメモリ素子（３０）と端末（２０、２５）との間の事前定義された距離（Ｒ）の範囲内で生成される近距離無線接続によって、移動制御データメモリ素子（３０）から端末（２０、２５）まで送信され、制御データパケットは、端末（２０、２５）のメモリユニット（２１、２６）内に保管されることを特徴とする、方法。
【請求項２】
人によって携帯される、送信装置（３１、３２）を有するメモリカード、特にＲＦＩＤメモリカードが、移動制御データ記憶素子（３０）として使用されることを特徴とする、請求項１に記載の方法。
【請求項３】
携帯電話が、移動制御データ記憶素子（３０）として使用されることを特徴とする、請求項１に記載の方法。
【請求項４】
近距離無線接続が生成される距離（Ｒ）は、約１ｍ未満、特に約３０ｃｍ未満であることを特徴とする、請求項１から３のいずれか一項に記載の方法。
【請求項５】
端末（２０、２５）の制御データパケットは、エレベータシステムの中央制御装置（１４）へ、および／または更なる端末（２０、２５）へ送信されることを特徴とする、請求項１から４のいずれか一項に記載の方法。
【請求項６】
制御データパケットの送信の前に、認証は確認され、かつ認証の確認が成功した場合、有効化コードによって端末（２０、２５）は使用可能にされることを特徴とする、請求項１から５のいずれか一項に記載の方法。
【請求項７】
有効化コードは、端末（２０、２５）上の入力装置（２４、２９）によって入力されることを特徴とする、請求項６に記載の方法。
【請求項８】
有効化コードは、近距離無線接続によって端末（２０、２５）に送信されることを特徴とする、請求項６に記載の方法。
【発明の詳細な説明】
【技術分野】
【０００１】
本発明は、少なくとも１つの端末を含む、エレベータシステムの制御を最新化するための方法に関する。
【背景技術】
【０００２】
通常、エレベータシステムの制御は、エレベータシステムの制御機能を最新化するための制御データパッケージにより、一定の時間間隔で、たとえばサービス作業の間に、更新される。このようなデータパッケージは、通常は、メモリカードなどの記憶素子に記憶される。したがって、たとえば、ＥＰ０８５７６８４Ｂ１から分かるように、記憶素子を有するメモリカードが知られているが、このメモリカードには、エレベータシステムの機能に必要な、かつエレベータシステムの設置および連続運転の間に中央制御装置との常時接続を維持するための、制御データが記憶されており、このメモリカードなしでは、エレベータシステムは、機能することができない。換言すれば、メモリカードは、スロット内に常時挿入されており、その結果、永続インタフェースを介して、制御データへの常時アクセスが可能になっている。
【特許文献１】欧州特許第０８５７６８４Ｂ１号明細書
【発明の開示】
【発明が解決しようとする課題】
【０００３】
しかし、これには、エレベータシステムの制御機能を最新化するためには、前の制御データを有するメモリカードを取り外さなければならず、かつ更新された制御データを有する新たなメモリカードを挿入しなければならない、という欠点がある。この結果、保守要員が、中央制御装置にアクセスし、それぞれのハウジングを開閉しなければならないため、保守経費が増大することになる。
【０００４】
また、個々の階に配置され、それぞれ、ＲＦＩＤリーダユニットを備えており、かつ遠隔保守システムを介して中央からアクセスできない、行き先呼出し端末を有するエレベータシステムも知られている。これには、それぞれの行き先呼出し端末は個々に保守されなければならない、という欠点がある。この目的のためには、行き先呼出し端末は開けられなければならず、ＲＦＩＤリーダユニット全体が交換されなければならない。また、プラグインカードを有する行き先呼出し端末の操作も知られており、この場合もまた、行き先呼出し端末の機能を最新化するためには、プラグインカードの交換が必要である。多くの階を有するエレベータシステムでは、このため、人員にとっての作業量の面からだけでなく、利用可能にされなければならない新たなプラグインカードの数という面からも、多額の保守経費が必要となる。
【０００５】
本発明の課題は、エレベータシステムの制御機能が簡単な手段で更新され得る、エレベータシステムを最新化するための方法を提案することである。
【課題を解決するための手段】
【０００６】
この課題を解決するために、請求項１に記載の発明によれば、移動制御データメモリ素子に記憶された、制御機能を最新化するための、制御データパッケージによって更新される、少なくとも１つの端末を有するエレベータシステムの制御を最新化するための方法において、制御データパケットは、移動制御データメモリ素子と端末との間に生成される近距離無線接続によって移動制御データメモリ素子から端末へ送信されることと、制御データパケットは、端末のメモリユニット内に記憶されることとが、予想される。
【０００７】
本発明の方法は、端末付近の制限された範囲内におけるワイヤレス近距離無線接続による簡単な手段によって、最新の制御データパケットの送信を可能にする。換言すれば、本発明の方法によれば、ソフトウェアの更新は、行き先呼出し端末に、特に、このような近距離無線接続のために設計かつ構成されたＲＦＩＤ受信ユニットに、送信されることが可能であり、ＲＦＩＤメモリカードまたは行き先呼出し端末の直近にある携帯電話などの、移動制御データメモリ素子は、行き先呼出し端末のＲＦＩＤ受信ユニットに対向して保持され、近距離無線接続を起動した後、制御データパケットは、行き先呼出し端末に送信され得る。制御データパケットは、続いて、行き先呼出し端末のメモリユニット内に保存されることが可能であり、近距離無線接続は、たとえば、制御データ記憶素子を携帯している人が、行き先呼出し端末から離れ、無線接続の範囲外に移動することによって、極めて簡単に停止され得る。
【０００８】
このように、本発明の方法により、制御データ記憶素子を多重使用することができ、制御データパケットを複数の行き先呼出し端末に多重送信し、任意の数のエレベータシステムの制御機能を最新化することができる。また、制御データ記憶素子を、行き先呼出し端末上または行き先呼出し端末内に常時置いておくことも必要でない。通常必要な制御カードの交換は、行わなくてよい。取り外しおよび挿入の作業が不要であるだけでなく、新たな制御カードの製造が不要なことから材料費が削減されることにより、保守経費が大いに削減される。本発明による解決策はまた、認証コードの照会が問題なく組み込まれ得るため、誤用に対してエレベータシステムの安全性を確保するためのいかなる追加経費も必要としない。
【０００９】
本方法は、行き先呼出し端末に限定されるものではなく、電子ドアロックなど、実際は、端末として定義される、ＲＦＩＤリーダまたはＮＦＣリーダを有する全ての装置においても、使用され得る。
【００１０】
本発明の方法の有利な更なる展開が、請求項２から８に記述されている。
【００１１】
本方法の有利な更なる展開において、移動制御データ記憶素子に関し、人によって携帯されるメモリカード、特にＲＦＩＤメモリカードが、送信装置と共に使用されることが予想される。このようなメモリカードは、たとえば一体型の電池を有することを意味する能動的な変形例において、または、行き先呼出し端末によって放射される電磁界によってメモリカードが起動されかつ電流を供給される受動的な変形例において、実行され得る。携帯電話を移動制御データメモリ素子として使用することは、有利である。この方法では、たとえば、認証照会を携帯電話を介して行うことができ、この携帯電話において、対応するコードが、携帯電話のキーパッド領域を介して入力され、かつ行き先呼出し端末に送信されることが可能である。
【００１２】
有利には、近距離無線接続が生成される距離は、約１ｍ未満、特に、約３０ｃｍ未満である。近距離無線接続の範囲がこのように制限されているため、制御データ記憶素子は、行き先呼出し端末の直近に配置されることが必要であり、それによって、誤用に対する更なる安全性が提供される。
【００１３】
更に有利な更なる展開において、制御データパケットは、行き先呼出し端末からエレベータシステムの中央制御装置へ、および／または更なる行き先呼出し端末へ送信される。異なる階または同一の階の個々の行き先呼出し端末の間の接続、および行き先呼出し端末から中央制御装置への接続は、通常、ワイヤによって行われているため、これらの接続は、制御データパケットの送信のために使用されることが可能である。このようにして、保守要員が、個々の行き先呼出し端末のところまで行き、制御データ記憶素子によって個々の行き先呼出し端末を更新する必要性は、避けられる。これによって、制御機能の最新化のための人員および時間的経費を、更に削減することができる。
【００１４】
好都合なことには、制御データパケットの送信の前に、認証が確認され、認証のこの確認が成功した場合、行き先呼出し端末は、有効化コードによって使用可能にされる。この方策は、誤用に対して安全性を確保するのに役立つ。一実施形態によれば、有効化コードは、行き先呼出し端末上の入力装置によって入力される。入力装置は、好都合なことには、いずれにせよ存在する、行き先呼出し階を入力するためのキーパッド領域である。あるいは、有効化コードは、近距離無線接続によって、行き先呼出し端末に送信されることができる。したがって、携帯電話が制御データ記憶素子として使用される場合、有効化コードは、携帯電話のキーパッド領域を介して入力され得る。
【００１５】
本発明を、図面を参照して、以下に説明する。
【発明を実施するための最良の形態】
【００１６】
図１は、３台のエレベータ１１、１２、１３を有するエレベータシステム１０の断面を図式的に示したものである。エレベータシステム１０の近傍、第１の階１５には、行き先呼出し端末２０があり、第２の階１６には、行き先呼出し端末２５がある。エレベータシステム１０全体を制御するために、対応する通信回線を介して、行き先呼出し端末２０、２５と、図示されていない他の階の他の行き先呼出し端末とのデータ通信を行う、中央制御装置１４が、設けられている。
【００１７】
行き先呼出し端末２０は、ＲＦＩＤ受信ユニット２２と、メモリユニット２１と、キーパッド領域２４とを備える。同様に、行き先呼出し端末２５は、メモリユニット２６と、ＲＦＩＤ受信ユニット２７と、キーパッド領域２９とを備える。ＲＦＩＤ受信ユニット２２、２７は、以下に更に詳細に記述される制御データ記憶素子３０と協働して近距離無線接続を生成することができるように、設計されている。
【００１８】
時間の経過に伴い、中央制御装置１４および行き先呼出し端末２０、２５によって可能にされる、エレベータシステム１０の制御を最新化するために、以下の方法が、実行される。
【００１９】
移動制御データ記憶素子３０をＲＦＩＤメモリカード３０または携帯電話の形で携帯している、たとえば保守要員としてエレベータ装置１０に対して責任を有する権限者４０、または建物に対して責任を有する他の人が、行き先呼出し端末２０に接近する。メモリカード３０もまた、たとえばアンテナとしての送信装置を含む、送信器ユニット３１を含む。人４０によって保持されたメモリカード３０が、行き先呼出し端末２０の直近に来るとすぐに、これは、送信ユニット３１と受信ユニット２２との間の距離Ｒが、たとえば、約３０ｃｍ未満であることを意味するが、近距離無線接続が、送信ユニット３１と受信ユニット２２との間に生成される。この近距離無線接続は、制御データパケットの送信のために十分な送信帯域幅が利用可能であるように、設計される。更なる安全方策として、そもそもこのような近距離無線接続を生成することができるためには、人４０は、まずキーパッド領域２４によって有効化コードを入力しなければならないということが、予想される。
【００２０】
制御データ記憶素子３０から行き先呼出し端末２０へ、換言すれば、送信ユニット３１から受信ユニット２２へ、制御データパケットが完全に送信された後、制御データパケットは、メモリユニット２１内に保管される。この操作の完了後、制御データ記憶素子を有する人４０は、行き先呼出し端末２０から離れて移動し、行き先呼出し端末２５に関して、第２の階１６でこの操作を繰り返すことができる。あるいは、行き先呼出し端末２０、２５と中央制御装置１４との間に存在するデータ導線が、記憶ユニット２１内に記憶されている制御データパケットを行き先呼出し端末２５のメモリユニット２６へ送信するために、使用されることが可能である。
【００２１】
エレベータシステム１０の制御を最新化するための本発明の方法は、特に、制御機能の最新化が、ワイヤレス近距離無線接続と、人によって携帯される移動制御データ記憶素子３０とによって、簡単な方法で実施され得ることを特徴とする。この手段によって、特に、行き先呼出し端末２０、２５のハウジングを開閉することを含む、プラグインカードの交換が不要となり得る。
【図面の簡単な説明】
【００２２】
【図１】３台のエレベータを有するエレベータシステムの図式的断面図を示す。
【符号の説明】
【００２３】
１０  エレベータシステム
１１、１２、１３  エレベータ
１４  中央制御装置
１５  第１の階
１６  第２の階
２０、２５  行き先呼出し端末
２１、２６  メモリユニット
２２、２７  受信ユニット
２４、２９  キーパッド領域
３０  移動制御データ記憶素子
３１、３２  送信ユニット
４０  人
【図１】
2008069009.tif 000003
【外国語明細書】
2008069009.tif 000004
2008069009.tif 000005
2008069009.tif 000006
2008069009.tif 000007
2008069009.tif 000008
2008069009.tif 000009
2008069009.tif 000010
2008069009.tif 000011
2008069009.tif 000012
2008069009.tif 000013
2008069009.tif 000014